(57)【要約】【解決手段】  アプリケーションを用いた族譜管理方法が提供される。  アプリケーションを用いた族譜管理方法は、利用者が父系または母系の先代構成員の人的情報を認知すると、利用者から先代構成員または本人の人的情報が入力される段階と、先代構成員及び本人の人的情報に関する族譜を検索して本貫、行列、行列字、始祖及び門派を含む本人の族譜情報をマッチングして提供する段階と、利用者が提供対象である同一系の所定寸数内の姻戚構成員を認知すると、利用者から姻戚構成員の情報を入力され、族譜を検索して姻戚構成員の族譜情報をマッチングする段階、及び、本人及び姻戚構成員の族譜情報で先代構成員の情報が一致すると、本人と姻戚構成員とを含む最終族譜情報を提供する段階とを含む。【選択図】図２
2020500387.tif 000002
【特許請求の範囲】
【請求項１】
アプリケーションを用いた族譜管理方法において、
利用者が父系または母系の先代構成員の人的情報を認知すると、前記利用者から前記先代構成員または本人の人的情報を入力される段階；
前記先代構成員または本人の人的情報に基づいて本貫、行列、行列字、始祖及び門派を含む本人の族譜情報をマッチングして提供する段階；
前記利用者が提供対象である同一系の所定寸数内の姻戚構成員を認知すると、前記利用者から前記姻戚構成員の情報を入力されて前記族譜を検索して前記姻戚構成員の族譜情報をマッチングする段階；
前記本人及び前記姻戚構成員の族譜情報で先代構成員の情報が一致すると、本人と姻戚構成員とを含む最終族譜情報を提供する段階；
前記利用者の前記最終族譜情報に対するアクセスを認証するために、前記本人と前記族譜内の構成員のうち、少なくとも一つを入力されて、前記族譜情報とマッチングして認証する段階；
前記族譜情報内の構成員を検索する段階；
前記構成員と関連する２次元または３次元映像、イメージ、音声、またはテキストを有するコンテンツ及び検索のためのキーワードを登録される段階；
前記登録された構成員のコンテンツを、前記族譜情報内の少なくとも一つの構成員と共有する段階；
前記利用者から検索しようとする構成員及びキーワードのうち、少なくとも一つを入力され、登録されたコンテンツを検索して提示する段階；及び
前記検索されたコンテンツのうち、選択されたコンテンツが該当構成員の法律行為に関連していない場合に、前記利用者に前記コンテンツを提供する段階を含むものの、
前記利用者に前記コンテンツを提供する段階は、
前記選択されたコンテンツが、該当構成員の法律行為と関連する場合に、前記利用者から同意を受けた公共家族情報を提供される段階；
前記公共家族情報に基づいて、前記利用者と前記該当構成員との間の所定姻戚関係であるかと、前記法律行為のコンテンツの公開条件を満たしているか否かを判断する段階；
判断結果を満たしていれば、前記法律行為のコンテンツに対して関連性を有する他の構成員と共有して、必ず(necessarily)共同で閲覧しなければならないか否かを判定する段階；
判定結果、必ず共同で閲覧しなければならないと、前記他の構成員に共同閲覧の承認を要請する段階；及び
承認されると、前記利用者と前記他の構成員に同時に前記コンテンツを提供して、共同閲覧するようにする段階を含む族譜管理方法。
【請求項２】
前記利用者が前記先代構成員の人的情報を認知していない場合、前記本人の人的情報が入力される段階；及び
公共家族情報の同意を通じて、前記公共家族情報を提供される段階をさらに含むものの、
前記本人の族譜情報をマッチングして提供する段階での前記先代構成員は、前記公共家族情報から入手される請求項１に記載の族譜管理方法。
【請求項３】
前記利用者が前記提供対象である同一系の所定寸数内の姻戚構成員を認知していない場合、前記利用者から前記提供対象である同一系と反対系に属する直系人的情報が入力される段階をさらに含むものの、
前記最終族譜を提供する段階で、前記本人族譜情報と比較される族譜情報は、前記入力された反対系の人的情報と関連する族譜情報であり、前記反対系の族譜情報から抽出される前記同一系の先代構成員の情報と前記本人の族譜情報から導出された先代構成員の情報とが一致すれば、前記最終族譜情報を提供する請求項１に記載の族譜管理方法。
【請求項４】
前記最終族譜情報を提供する段階は、前記本人及び前記姻戚情報の族譜情報で先代構成員の情報が一致しないと、前記本人及び前記姻戚構成員の族譜情報を前記利用者及び前記姻戚構成員に全て通知する段階；及び
前記利用者及び前記姻戚構成員から選択された族譜情報に基づいて前記最終族譜情報を提供する段階を含む請求項１に記載の族譜管理方法。
【請求項５】
前記コンテンツは、前記構成員の元コンテンツ及び前記元コンテンツに含まれた映像、イメージ、音声、またはテキストを抽出して前記構成員の他のコンテンツと合成されて生成され、前記コンテンツが３次基映像で生成されると仮想現実(Virtual Reality)映像、拡張現実(Augmented Reality)映像及びホログラム映像のうち、少なくともいずれか一つである請求項１に記載の族譜管理方法。
【発明の詳細な説明】
【技術分野】
【０００１】
本発明は、アプリケーションを用いた族譜管理方法に関し、より詳細には、自分が属している族譜情報を誤謬なく正確に把握すると共に、族譜内の構成員の各種コンテンツについて確実な機密性を持ってアクセスできる族譜管理方法に関する。  
【背景技術】
【０００２】
東西を問わず、血縁関係の系譜を記録し整理した族譜の由来は、長い歴史を有している。人はもちろん、犬や馬までも族譜のある世界に生きているのが現実であり、生きていく中で隣人を忘れていく場合はよくあるが、ルーツを消すことはできず、ルーツを記録した族譜もまた人類の最後まで存在し続けるだろう。
【０００３】
一般的に、族譜は、姓氏毎にまたは各姓氏と派閥毎に別個の族譜を印刷物にしている。具体的に、族譜に収録された内容としては、始祖から始め、世代順に宗系を成して各々人の名前、自号、諡号、生年月日、官職、封号、科榜、勲業、徳行、忠孝、旌表、文章、著述などの身上に関する情報があり、子供に関して後継の如何、出系または養子縁組、嫡庶の区別、男女の区別などがあり、墓の所在地などがある。
【０００４】
このような族譜は、今日も社会構成員間の血縁関係を纏めた貴重な情報として、その価値が大きいので、古い族譜を作り直したり、各種資料を集めて消えた族譜を新たに編纂する場合もあるが、族譜の製作には、必要な資料と原稿とを各姓氏門中と関連する団体または個人から譲り受け資料と原稿とを分類し、編集、及び整理して、文書作成作業をし校正して製版、印刷を経て製本して完成する。
【０００５】
このように、族譜を製作することは容易なことではないが、さらに問題となるのは族譜を効果的に活用するのが難しいということである。
【０００６】
すなわち、族譜は、横に段を分けて同じ世代に属する血孫を同じ段に横に配列しているので、自分の世代の構成員の族譜を読み取ることができる。しかし、歳首を知らないと探し難いという問題がある。
【０００７】
また、製作された族譜は厚い印刷物となるため、一般的に、携帯がほぼ不可能であるだけでなく、管理及び更新に多くの時間と費用がかかり、特に、族譜についての知識が足りない現代人としては、自分が属している行列、門派、始祖などを正確に把握するのに困難がある。
【発明の概要】
【発明が解決しようとする課題】
【０００８】
本発明が解決しようとする技術的課題は、自分が属している族譜情報を誤謬なく正確に把握すると共に、族譜内の構成員の各種コンテンツについて最適の共有と保安でアクセスできる族譜管理方法を提供することにある。
【０００９】
本発明の目的は、以上で言及された目的に制限されず、言及されていない他の目的は、以下の記載より、該当業界の従事者に明確に理解できるものである。
【課題を解決するための手段】
【００１０】
前記技術的課題を解決するための本発明の一様態によると、アプリケーションを用いた族譜管理方法は、利用者が父系または母系の先代構成員の人的情報を認知すると、前記利用者から前記先代構成員及び本人の人的情報が入力される段階と、前記先代構成員及び本人の人的情報に基づいて本貫、行列、行列字及び門派を含む本人の族譜情報をマッチングして提供する段階と、前記利用者が提供対象である同一系の所定寸数内の姻戚構成員を認知すると、前記利用者から前記姻戚構成員の情報を入力され、前記族譜を検索して前記姻戚構成員の族譜情報をマッチングする段階、及び前記本人及び前記姻戚構成員の族譜情報にて先代構成員の情報が一致すれば、本人と姻戚構成員とを含む最終族譜情報を提供する段階とを含む。
【００１１】
他の実施例において、前記利用者が前記先代構成員の人的情報を認知していな  い場合は、前記本人の人的情報が入力される段階、及び公共家族情報の同意で前記公共家族情報が提供される段階をさらに含むものの、前記本人の族譜情報をマッチングして提供する段階での前記先代構成員は、前記公共家族情報から入手され得る。
【００１２】
また、他の実施例において、前記利用者が前記提供対象である同一系の所定寸数内の姻戚構成員を認知していない場合、前記利用者から前記提供対象である同一系と反対系に属する直系の人的情報が入力される段階をさらに含むものの、前記最終族譜を提供する段階において、前記本人の族譜情報に比較される族譜情報は、前記入力された反対系の人的情報と関連する族譜情報であり、前記反対系の族譜情報から抽出される前記同一系の先代構成員の情報と前記本人の族譜情報から導出された先代構成員の情報とが一致すれば、前記最終族譜情報を提供することができる。
【００１３】
また、他の実施例において、前記最終族譜情報を提供する段階は、前記本人及び前記姻戚情報の族譜情報にて先代構成員の情報が一致していないと、前記姻戚構成員に前記本人及び前記姻戚構成員の族譜情報を前記利用者及び前記姻戚構成員に全て通知する段階及び前記利用者及び前記姻戚構成員から選択された族譜情報に基づいて、前記最終族譜情報を提供する段階を含むことができる。
【００１４】
また、他の実施例において、前記利用者の前記最終族譜情報に対するアクセスを認証するために、前記本人と前記族譜内の構成員のうち、少なくとも一つが入力されて、前記族譜情報とマッチングして認証する段階、前記族譜情報内の構成員を検索する段階、前記構成員と関連する２次元または３次元映像、イメージ、音声、または、テキストを有するコンテンツ及び検索のためのキーワードが登録される段階、及び前記登録された構成員のコンテンツを、前記族譜情報内の少なくとも一つの構成員と共有する段階をさらに含むことができる。
【００１５】
また、前記コンテンツは、前記構成員の元コンテンツに含まれた映像、イメージ、音声、または、テキストを抽出して前記構成員の他のコンテンツと合成して生成され得る。
【００１６】
これに加えて、前記少なくとも一つの構成員と共有する段階の後、前記利用者から検索しようとする構成員及びキーワードのうち、少なくとも一つが入力され、登録されたコンテンツを検索して提示する段階と、前記検索されたコンテンツのうち、選択されたコンテンツが該当構成員の法律行為に関連していない場合に、前記利用者に前記コンテンツを提供する段階をさらに含むことができる。
【００１７】
ここで、前記利用者に前記コンテンツを提供する段階は、前記選択されたコンテンツが該当構成員の法律行為と関連する場合に、前記利用者から同意を受けた公共家族情報を提供される段階と、前記公共家族情報に基づいて前記利用者と前記該当構成員との間の所定姻戚関係であるかということと、前記法律行為のコンテンツの公開条件が満たされているか否かを判断する段階、及び判断結果を満たしていれば、前記コンテンツを提供する段階を含むことができる。
【００１８】
続いて、前記判断結果を満たしていれば、前記利用者に前記コンテンツを提供する段階は、前記法律行為のコンテンツについて関連性を有する他の構成員と共有して共同閲覧する必要があるかを判定する段階と、判定結果、共同閲覧の必要があれば、前記他の構成員に共同閲覧の承認を要請する段階と、承認されれば、前記利用者と前記他の構成員に同時に前記コンテンツを提供して共同閲覧できるようにする段階とを含むことができる。
【００１９】
前記技術的課題を解決するための本発明の他の様態によると、ハードウェアと組み合わせて、媒体に格納された族譜管理及び関連コンテンツサービスのためのアプリケーションは、父系または母系の先代構成員の人的情報を認知すると、前記先代構成員、または本人の人的情報が入力される段階と、前記先代構成員と本人の人的情報に基づいて本貫、行列、行列字及び門派を含む本人の族譜情報をマッチングして提供する段階と、提供対象である同一系の所定寸数内の姻戚情報を認知すると、前記姻戚情報を入力され、前記族譜を検索して姻戚情報の族譜情報をマッチングする段階と、前記本人及び前記姻戚情報の族譜情報にて先代構成員の情報が一致すれば、本人と姻戚情報とを含む最終族譜情報を提供する段階とを含んで実行させる。
【００２０】
その他の実施例の具体的な事項は、詳細な説明及び図に含まれている。
【発明の効果】
【００２１】
本発明によると、自分が属している族譜情報を誤謬なく正確に把握すると共に、族譜内の構成員の各種コンテンツに最適の共有とセキュリティでアクセスしながら、族譜の構成員間の紐帯を強化し、族譜及び関連コンテンツを携帯電子端末機等により容易に管理及びサービスを受けることができる。
【図面の簡単な説明】
【００２２】
【図１】本発明の一実施例による族譜管理サービス方法を具現するためのアプリケーションが内蔵されたサーバーを含んでいる全体システムを示す構成図である。
【図２】族譜管理方法を具現するためのアプリケーションが内蔵されたサーバーの構成図である。
【図３】本発明の一実施例による族譜管理方法で具現されるフローチャートである。
【図４】本発明の他の実施例による族譜管理方法で具現されるフローチャートである。
【図５】本発明の他の実施例による族譜管理方法で具現されるフローチャートである。
【図６】本発明の他の実施例による族譜管理方法で具現されるフローチャートである。
【発明を実施するための形態】
【００２３】
以下、添付した図及び後述されている内容を参照して本発明の好ましい実施例を詳細に説明する。しかし、本発明は、ここで説明される実施例に限定されず、他の形で具体化することもできる。むしろ、ここで紹介される実施例は、開示された内容が徹底して完全になるように、また、該当業界の従事者に、本発明の思想が十分に伝わるようにするため提供されるものである。明細書全体に亘って同一の参照番号は同一の構成要素を示す。一方、本明細書で使用される用語は、実施例を説明するためのものであり、本発明を制限するものではない。本明細書において、単数形は、文句で特に言及されない限り、複数形も含まれる。明細書で使用される「含む(comprises)」及び／または「含んでいる(comprising)」は、言及された構成要素、段階、動作、及び／または素子が一つ以上の他の構成要素、段階、動作、及び／または素子の存在または追加を排除しない。
【００２４】
また、「部」乃至「モジュール」とは、一般に論理的に分離可能なソフトウェア(コンピュータプログラム)、ハードウェア等の部品を指す。したがって、本実施形態におけるモジュールは、コンピュータプログラムでのモジュールだけでなく、ハードウェア構成でのモジュールも指す。そのため、本実施形態は、それらをモジュールとして機能させるためのコンピュータプログラム(コンピュータに各々の段階を実行させるためのプログラム、コンピュータを各々の手段として機能させるためのプログラム、コンピュータに各々の機能を実現させるためのプログラム)、システム、及び方法の説明も兼ねている。但し、説明の都合上、「格納する」、「格納させる」、これらと同等の文言を用いるが、これらの文言は、実施形態が、コンピュータプログラムである場合は、記憶装置に記憶させる、または記憶装置に記憶させるように制御することを意味する。また、「部」乃至「モジュール」は、機能に一対一で対応していてもよいが、実装においては、１モジュールを１プログラムで構成してもよく、複数モジュールを１プログラムで構成してもよく、逆に、１モジュールを複数プログラムで構成してもよい。また、複数モジュールは、１コンピュータによって実行されてもよく、分散または並列環境でコンピュータによって１モジュールが複数コンピュータで実行されてもよい。また、１つのモジュールに他のモジュールが含まれていてもよい。また、以下、「接続」とは、物理的な接続の他に、論理的な接続(データの送受信、指示、データ間の参照関係等)の場合にも採用する。「所定」、「既に定められた」、「予め定められた」とは、対象とする処理前に定められていることを言い、本実施形態による処理が開始される前はもちろんであり、本実施形態による処理が開始された後も、対象とする処理前であれば、その時の状況と状態によって、または、それまでの状況と状態によって定められることの意味を含んで用いる。
【００２５】
また、システムまたは装置とは、複数のコンピュータ、ハードウェア、装置などがネットワーク(一対一対応の通信接続を含む)等の通信手段により接続されて構成されることの他に、１つのコンピュータ、ハードウェア、装置等によって実現される場合も含まれる。「装置」と「システム」は、お互いに同じ意味の用語として用いる。なお、「システム」には、人為的な決定である社会的な「機構」(社会システム)に過ぎないものは含まない。
【００２６】
また、各部または各モジュールによる処理毎に又は各部乃至モジュール内で複数の処理を行う場合は、その処理毎に、対象となる情報を記憶装置から読み取り入力し、その処理をした後、処理結果を記憶装置に記載するものである。したがって、処理前の記憶装置からの読み取り入力、処理後の記憶装置への記載に関しては、説明を省略することもある。また、ここでの記憶装置としては、ハードディスク、ＲＡＭ(Random Access Memory)、外部記憶媒体、通信回線を介した記憶装置、ＣＰＵ(Central Processing Unit)内のレジスタ等を含んでいてもよい。
【００２７】
以下、図１及び図２を参照して、本発明の一実施例による族譜管理方法を実現するためのアプリケーションを内蔵しているサーバー及びこれと通信して前述したアプリケーションを具現する利用者の端末について詳細に説明することにする。図１は、本発明の一実施例による族譜管理方法が具現されるためのアプリケーションが内蔵されたサーバーを含んでいる全体システムを示す構成図であり、図２は、族譜管理方法が具現されるためのアプリケーションが内蔵されたサーバーの構成図である。
【００２８】
利用者または構成員の族譜情報を検索、照会、修正、共有などと併せて、構成員のコンテンツを構築、共有するためのシステムであって、族譜管理／コンテンツサーバー１００、利用者の携帯端末２００、有線端末３００及びソーシャルネットワークサーバー４００が有・無線ネットワーク５００を通じて連結されている。
【００２９】
以下の実施例では、利用者の族譜情報検索などと関連コンテンツの登録、閲覧のためのアプリケーションが族譜管理／コンテンツサーバー１００に内蔵され、携帯端末２００または有線端末３００で前述したプログラムを駆動するための別途のアプリケーションをアップマーケットなどを介して設置することにより、族譜管理／コンテンツサーバー１００と、携帯端末２００などとの相互作用によって具現されることを中心に説明する。しかし、必ずしもこれに制限されず、族譜管理／コンテンツサーバー１００を構成する各部が携帯端末２００などのアプリケーションの設置の際に族譜管理／コンテンツサーバー１００と携帯端末２００などに最適に分配されて分散処理されることもできる。
【００３０】
族譜管理／コンテンツサーバー１００は、利用者が携帯端末２００に設置されたアプリケーションを通じてアクセスできるサーバーであって、族譜検索、修正、共有などと族譜の構成員と関連するコンテンツの登録、閲覧、共有などに対する利用者の要請を受け付け、族譜情報及び関連コンテンツを利用者及び共有で結合した構成員に提供する。これに対する詳細な説明は後述することにする。
【００３１】
携帯端末２００は、外部と通信可能な端末であって、ネットワーク５００を通じて族譜管理／コンテンツサーバー１００、ソーシャルネットワークサーバー４００、他の利用者の携帯端末２００及び有線端末３００と通信することができ、例えば、セルラー(cellular)フォン、スマートフォン、タブレットコンピュータ、またはラップトップ(laptop)コンピュータであり得る。
【００３２】
有線端末３００は、イーサネット(登録商標)のようなネットワーク５００を通じて族譜管理／コンテンツサーバー１００、ソーシャルネットワークサーバー４００、他の利用者の携帯端末２００及び有線端末３００と通信することができ、例えば、デスクトップ(desktop)コンピュータであり得る。
【００３３】
ソーシャルネットワークサーバー４００は、携帯端末２００及び有線端末３００の相互間で行われるデジタル活動(activity)、例えば、メッセージ交換、テキスト、イメージ、映像、オーディオ、及び各種データの共有などを具現することができる。具体的には、利用者は、本人が検索した族譜情報の検証、共有と共に、登録されたコンテンツの共有などの処理を族譜管理／コンテンツサーバー１００に要請し、族譜管理／コンテンツサーバー１００は、ソーシャルネットワークサーバー４００に、前述した処理のためのリンクを送信したり、族譜情報及びコンテンツを直接送信することができる。
【００３４】
図２を参照すると、族譜管理／コンテンツサーバー１００は、具体的に、認証部１０５、選択部１１０、族譜管理モジュール１１５及びコンテンツモジュール１５５を含む。
【００３５】
認証部１０５は、族譜外の者が族譜情報及び族譜構成員の個人化されたコンテンツのような私的情報にアクセスするのを遮断するために、族譜管理／コンテンツサーバー１００にアクセスする利用者の認証手続きを行うことができる。詳細には、認証部１０５は、族譜検索、検証と構成員の法律行為と関連するコンテンツの登録、共有、閲覧などに公共家族情報を利用するのに必要な確認、同意手続きを行うと共に、検索部１２５、族譜／コンテンツ提示部１６５に提供して使用することができる。これに加えて、認証部１０５は、非法律行為のコンテンツの登録、共有、閲覧などのために、認証する上で、便宜のため、利用者本人ではなく、族譜内の構成員の人的情報が入力されることもある。
【００３６】
コンテンツは構成員と関連する２次元または３次元映像、イメージ、音声、またはテキストであり得る。ここで、コンテンツは列挙したものの元のコンテンツであることもでき、元コンテンツに含まれた映像、イメージ、音声、またはテキストを抽出して構成員の他のコンテンツと合成されて生成され得る。コンテンツが３次元映像であれば、人物と背景とが全て含まれた３次元映像撮影装置を用いて生成されるか、背景を除外するようにソフトウェアで処理されて人物のみを抽出する３次元映像撮影／処理装置を用いて生成され得る。３次元映像は、例えば、仮想現実(Virtual Reality)映像、拡張現実(Augmented Reality)映像、ホログラム映像などであり得る。
【００３７】
このような３次元映像を閲覧する場合、利用者は、コンテンツモジュール１５５から携帯端末２００または有線端末３００に送信されたコンテンツを別途の３次元映像ビューア、例えば、ＶＲ(Virtual Reality)またはＨＭＤ(Head Mounted Display)装置を用いて閲覧することができる。
【００３８】
コンテンツは、族譜内の構成員と法的利害関係がないものであって、例えば、家族との団体映像、構成員の電話番号、メールアドレス、ＳＮＳアカウントなどのような連絡先、故人の死亡日、墓地の位置、語録、冠婚葬祭と関連する事項等のコンテンツ及び密接な法的利害関係があるものであって、例えば、遺言などであり得る。
【００３９】
族譜検索時に本人の人的情報だけを入力することにより、父系または母系の先代構成員の人的情報を入手したり、法律行為と関連するコンテンツを共有するために用いられる公共家族情報は、本人の直系構成員が含まれ、電子化された住民登録謄本データや電子化された故人の除籍謄本等であり得る。このような公共家族情報は、敏感な個人情報であるため、認証部１０５は、公共家族情報を用いる場合に、前述した認証手続よりも厳格な過程で利用者に関する確認を行い、利用者から同意を得る。
【００４０】
選択部１１０は、利用者が認証手続を完了した後、族譜検索、修正、共有などを実行するための族譜管理モジュール１１５と関連コンテンツの登録、閲覧、共有などを実行するためのコンテンツモジュール１５５を選択するように携帯端末２００などの画面にインターフェイス(interface)を提供することができる。
【００４１】
族譜管理モジュール１１５は、具体的に、受付部１２０、検索部１２５、検証部１３０、族譜提供部１３５、族譜修正部１４０、コミュニティ部１４５及び族譜データベース部１５０を含むことができる。
【００４２】
受付部１２０は、本人の族譜情報を把握するために、利用者から本人をはじめとして父系または母系先代構成員の人的情報を受け付ける。人的情報は、例えば、氏名、行列、行列字、世帯数、住民登録番号、生年月日のうち、少なくとも一つであり得る。利用者の族譜情報は、本人、父、祖父などの世代順からなる父系または本人、母、外祖母などの世代順からなる母系で構成されることができ、父系または母系の族譜情報は、本貫、氏名、行列、行列字、始祖、門派、生年月日、死亡日、住民登録番号などを含む。また、受付部１２０は、利用者が父系または母系の先代構成員の人的情報を認知できず、本人の人的情報のみを入力した場合に、認証部１０５から確認、同意した公共家族情報を受け、族譜データベース部１５０に格納された族譜情報とマッチングするための先代構成員の人的情報を抽出して、入力することができます。
【００４３】
検索部１２５は、受付部１２０から入力された父系または母系の先代構成員または本人の人的情報に基づいて、族譜データベース部１５０に格納された族譜の族譜情報のうち、入力された人的情報と類似度が最も高い族譜情報を族譜提供部１３５に出力することができる。族譜情報は、必須として本貫、氏名、行列、行列字、始祖、門派を含み、生年月日、死亡日、住民登録番号などをさらに含むこともできる。
【００４４】
検証部１３０は、利用者が提供対象である同一系の所定寸数内の姻戚構成員を認知すれば、利用者から姻戚構成員の情報を受付部１２０を介して入力されて族譜データベース部１５０に格納された族譜を検索して姻戚構成員の族譜情報をマッチングする。ここで、同一系というのは、利用者が検索しようとする父系または母系のような系のことを意味し、所定寸数または姻戚構成員は直系ではなく、３寸乃至６寸の範囲の構成員であり得る。
【００４５】
利用者が提供対象である同一系の所定寸数内の姻戚構成員を認知していない場合には、検証部１３０は、同一系と反対系に属する直系人的情報を受付部１２０から入力され、反対系の族譜から抽出される同一系の先代構成員の族譜情報を抽出することができる。反対系というのは、ユーザーが検索しようとする父系または母系と反対される母系または父系ある。
【００４６】
検証部１３０は、本人または姻戚構成員の族譜情報にて同一系の姻戚構成員または反対系の先代構成員の情報が一致するか否かを確認し、一致すれば、検索部１２５で検出された族譜情報を本人の最終族譜情報を決定して族譜提供部１３５に提供することができる。これとは異なり、検証部１３０は、本人または同一系或いは反対系の先代構成員の情報が一致しないと、ソーシャルネットワークサーバー４００を介して検証に用いられた姻戚構成員や利用者に本人または姻戚構成員の族譜情報を全て通知することができる。
【００４７】
検証部１３０は、ソーシャルネットワークサーバー４００を介して利用者または姻戚構成員から選択された族譜情報を入力され、最初検索された族譜情報の代わりに最終族譜情報として決定し、族譜提供部１３５に提供することができる。
【００４８】
族譜提供部１３５は、族譜検索部１２５または族譜提供部１３５から受けた利用者の族譜情報を携帯端末２００などにツリー(tree)型などのグラフィックインターフェイス形で提供することができる。ツリー型の族譜情報を例にとると、行列によって階層的に先代構成員から本人、妻、子供、婿、嫁などの下位構成員を配列し、構成員毎に氏名、行列、行列字、始祖、門派、生年月日、死亡日、住民登録番号などを含む族譜情報を容易に把握できるように表示することができる。
【００４９】
族譜修正部１４０は、利用者が族譜データベース部１５０に格納された本人の族譜情報を取得することにより、携帯端末２００などに表示されたツリー型の族譜情報を用いて、誤謬のある族譜情報を修正することができる。しかし、利用者及び他の構成員の照会、修正遮断がある場合に、族譜修正部１４０は、個人情報保護のために族譜情報の修正または一部情報の閲覧を制限することができる。
【００５０】
コミュニティ部１４５は、家族間の紐帯関係を強化することができるように、携帯端末２００などに表示されたツリー型の族譜情報を用いて、特定の構成員を検索して、ソーシャルネットワークサーバー４００を介して族譜管理モジュール１１５から自ら設けたプラットフォームまたは外部のソーシャルネットワークが提供するプラットフォームに招待することができる。プラットフォームに招待されると、グループ設定または対話機能が実行され得る。
【００５１】
族譜データベース部１５０は、検索部１２５、検証部１３０、族譜提供部１３５での機能を行うのに必要な父系または母系の族譜情報を含む各種氏名、本貫、門派に対する族譜を格納する。
【００５２】
一方、コンテンツモジュール１５５は、族譜データベース部１５０で提供されて族譜提供部１３５で所定の形でグラフィック化された族譜情報が伝送されて構成員と関連するコンテンツの登録、共有、閲覧などと処理を行う。
【００５３】
詳細には、コンテンツモジュール１５５は、コンテンツ探索部１６０、族譜／コンテンツ提示部１６５、コンテンツ格納部１７０及び共有部１７５を含むことができる。
【００５４】
コンテンツ探索部１６０は、選択部１１０を介してコンテンツに対するアクセスが選択された後、本人の族譜情報に属する特定の構成員の登録されたコンテンツを探索することができる。コンテンツ探索部１６０は、利用者の族譜情報の中で検索しようとする構成員及びキーワードのうち、少なくとも一つを利用者が入力し、登録されたコンテンツを検索することができる。コンテンツ検索の便宜性のために、コンテンツ探索部１６０は、族譜提供部１３５から伝送されたグラフィック化された全ての構成員の族譜情報に相応して、コンテンツ格納部１７０に格納されたコンテンツが携帯端末２００などで族譜情報と共に添付される形で表示することによって、利用者は、コンテンツ探索部１６０から提供された族譜情報と関連コンテンツが結合されたリストを通じて視覚的に簡単に検索することができる。
【００５５】
族譜／コンテンツ提示部１６５は、コンテンツ探索部１６０から検索して、選択された該当構成員のコンテンツをウィンドウ形に変換された族譜情報と共に携帯端末２００などに送信して提示することができる。詳しく述べると、族譜／コンテンツ提示部１６５は、選択されたコンテンツが該当構成員の法律行為に関連していなければ、利用者の携帯端末２００などでコンテンツを提供することができる。これとは異なり、選択されたコンテンツ、例えば、遺言などが含まれた映像、テキスト、音声が該当構成員の法律行為に関連している場合に、認証部１０５は、利用者から同意を受けた公共家族情報に従って、利用者と該当構成員との間の所定姻戚関係認知と法律行為のコンテンツの公開条件、例えば、遺言の公開時点、弁護士の族譜管理／コンテンツサーバーに対するアクセスなどが満たしているか否かを判断する。判断結果、満たしていれば、族譜／コンテンツ提示部１６５は、法律行為のコンテンツに対して関連性を有する他の構成員と共有して共同閲覧する必要があるかを判定し、判定結果、閲覧必要があれば、共有部１７５に他の構成員の共有を要請する。族譜／コンテンツ提示部１６５は、他の構成員の共有が承認されると、利用者と他の構成員に同時にコンテンツを提供して携帯端末２００などを通じて、共同閲覧するようにする。
【００５６】
コンテンツ格納部１７０は、認証部１０５を介して、本人と族譜内の構成員のうち、少なくとも一つを入力され族譜情報とマッチングして認証を受け、選択部１１０によって、コンテンツ登録が選択されると、利用者から特定の構成員のコンテンツを登録させて格納することができる。具体的には、コンテンツ格納部１７０は、族譜提供部１３５から伝送されたグラフィック化された全ての世代の族譜情報を利用者に表示して、利用者から指示された構成員を検索し、該当構成員の族譜情報に添付される形で、利用者の要請でコンテンツと検索のためのキーワードを登録させ得る。もちろん、登録されたコンテンツに対する修正、削除などが必要な場合に、利用者は、コンテンツ格納部１７０を介してアクセスし、該当作業を処理することができる。
【００５７】
共有部１７５は、登録された構成員のコンテンツを族譜情報内の少なくとも一つの構成員と共有するように、ソーシャルネットワークサーバー４００を介して他の構成員に直接コンテンツを送信したり、リンクを渡すことができる。併せて、共有部１７５は、コンテンツが法律行為に関連して必要な場合に、族譜／コンテンツ提示部１６５の指令に応じて関連構成員にコンテンツの共有を問い合わせて設定することができる。
【００５８】
以下、図３を参照して、族譜管理／コンテンツサーバー１００に内蔵されたアプリケーションを通じて族譜情報の検索及び検証過程について説明することにする。図３は、本発明の一実施例による族譜管理方法で具現されるフローチャートである。
【００５９】
まず、利用者が携帯端末２００などで前述したアプリケーションにアクセスすると、認証部１０５は、認証用のインタフェースを携帯端末２００などに表示し、個人情報に該当する族譜情報にアクセスするのに必要な認証を行う(Ｓ３０５)。認証完了した後、利用者は、族譜管理モジュール１１５を選択して、系譜検索を開始することができる。
【００６０】
利用者が検索を希望する父系または母系の族譜情報を選択部１１０を介して選択した後、父系または母系の先代構成員の人的情報を認知していると(Ｓ３１０)、受付部１２０は、利用者から先代構成員または本人の人的情報を入力される(Ｓ３１５)。
【００６１】
これとは異なり、利用者が前記先代構成員の人的情報を認知していない場合(Ｓ３１０)、受付部１２０には、本人の人的情報のみが入力される(Ｓ３２０)。
【００６２】
続いて、認証部１０５は、同意に基づいて、公共家族情報を受け、公共家族情報に含まれた父系または母系の先代構成員の情報を抽出して検索部１２５に提供する(Ｓ３２５)。
【００６３】
次に、族譜検索部１２５は、直接入力するか、公共家族情報から抽出された先代構成員または本人の人的情報に基づいて、族譜データベース部１５０から最も類似度が高い族譜情報を有する族譜を検索する(Ｓ３３０)。
【００６４】
続いて、族譜検索部１２５は、最高の類似度の族譜情報と本人、先代構成員の人的情報に基づいて、最も類似度が高い本貫、行列、行列字、始祖及び門派などでマッチングして、本人の族譜情報を特定する(Ｓ３３５)。
【００６５】
族譜提供部１３５は、利用者の確認のために、本人の族譜情報を先代から下位構成員までの世代順に配列されたツリー型などに加工して携帯端末２００などに表示する(Ｓ３４０)。
【００６６】
次に、利用者が提供対象である同一系の所定寸数内の姻戚構成員を認知していると(Ｓ３４５)、検証部１３０は、利用者から姻戚構成員の情報を受付部１２０によって入力される(Ｓ３５０)。利用者が提供対象である同一系の所定寸数内の姻戚構成員を認知していない場合(Ｓ３４５)、検証部１３０は、利用者から前記提供対象である同一系と反対系に属する直系人的情報を受付部１２０によって入力される(Ｓ３５５)。
【００６７】
検証部１３０は、同じ系または反対系の系譜を検索して、該当姻戚構成員の族譜情報をマッチングする検索をする(Ｓ３６０)。
【００６８】
次に、検証部１３０は、本人または姻戚構成員の族譜情報で先代構成員の情報が一致するかを判定する(Ｓ３６５)。反対系の系譜検索による場合に、本人族譜情報と比較される族譜情報は、反対系の族譜情報から抽出される前記同一系の先代構成員の情報である。
【００６９】
もし、検証部１３０で、本人または姻戚情報の族譜情報で先代構成員の情報が一致していないと、検証部１３０は、本人や姻戚構成員の族譜情報を利用者または姻戚構成員にソーシャルネットワークサーバー４００を介して全て通知して、両者間の確認のお問い合わせを要請する(Ｓ３７０)。
【００７０】
続いて、検証部１３０は、利用者または姻戚構成員から選択された族譜情報を入力され、本人及び姻戚構成員の最終族譜情報として決定する(Ｓ３７５)。
【００７１】
一方、同一系または反対系の姻戚構成員の族譜情報と検索部１２５によって導出された本人の族譜情報での先代構成員の情報が所定の確率以上で一致すれば、検索部１２５による族譜情報を本人の最終族譜情報として決定し、族譜提供部１３５を介して最終族譜情報を携帯端末２００などに表示する(Ｓ３８０)。利用者は、最終族譜情報を通じて分かった他の構成員に族譜共有を要請することもでき、必要な場合に族譜修正部１４０を介して族譜情報の様々なデータを記載或いは修正することができる。
【００７２】
本実施例によれば、本人が先代構成員の人的情報を認知していなくても、同意で提供される公共家族情報によって族譜情報をより正確に検出することができ、本人と直系ではない同一系または反対系の姻戚構成員の族譜情報と１次的に検索された本人の族譜情報とを比較し、比較結果、本人と姻戚構成員間の協業を通じた確認を行うことにより、族譜情報の誤謬があるかを確認しながら族譜情報検索の信頼性がより向上し得る。
【００７３】
以下、図４を参照して、族譜管理／コンテンツサーバー１００に内蔵されたアプリケーションを通じて族譜内の他の構成員との共有及び細部記載について説明することにする。図４は、本発明の他の実施例による族譜管理方法にて具現されるフローチャートである。
【００７４】
族譜提供部１３５は、利用者に図３のように決定された最終族譜情報をツリー型のグラフィック化された形で、携帯端末２００などに提供する(Ｓ４０５)。
【００７５】
利用者は、族譜提供部１３５で指定されたグラフィックス化された族譜情報に基づいて、所望する構成員を探索することができる(Ｓ４１０)。
【００７６】
希望する構成員が選択されると、族譜提供部１３５は、族譜データベース部１５０によって格納された各構成員の連絡先、例えばソーシャルネットワークのアカウント、電子メールのアカウントなどを画面に表示された族譜情報に添加される形で表示させ、利用者は、所望する構成員のソーシャルネットワークのアカウントなどを入手することができる(Ｓ４１５)。
【００７７】
次に、コミュニティ部１４５は、入手されたソーシャルネットワークのアカウントを用いて、共有設定を指示した利用者の要請で所望する構成員とのソーシャルネットワークを共有したり、族譜管理／コンテンツサーバー１００が、自ら設けたグループの設定を行うことができる(Ｓ４２０)。
【００７８】
続いて、本人の族譜情報に記録された連絡先、生年月日、死亡日、墓地の位置などの親戚の細部情報の記載を許容すると(Ｓ４２５)、族譜修正部１４０は、利用者の要請で、構成員の細部情報を記載または修正することにより、族譜情報を更新して族譜データベース部１５０に格納することができる(Ｓ４３０)。
【００７９】
本実施例によれば、族譜情報を確認された構成員との紐帯を強化するために、ソーシャルネットワークまたはカフェなどのグループ機能を提供することができ、構成員の族譜情報ないしは詳細情報の記載または修正は許容するか否かよって行われ、敏感な情報に対するアクセスとセキュリティが強化され得る。
【００８０】
以下、図５を参照して、族譜管理／コンテンツサーバー１００に内蔵されたアプリケーションを通じて族譜内の構成員の関連コンテンツの登録と共有について説明することにする。図５は、本発明のまた他の実施形による族譜管理方法にて具現されるフローチャートである。
【００８１】
認証部１０５は、選択部１１０から選択されたコンテンツモジュール１５５の駆動で、族譜情報に対するアクセスを認証するために、本人のＩＤ、パスワードと共に、本人と族譜内の構成員のうち、少なくとも一つを入力されて族譜情報とマッチングして認証する(Ｓ５０５)。
【００８２】
続いて、コンテンツ格納部１７０は、族譜提供部１３５からツリー型などのグラフィック化された状態で加工処理された族譜情報を携帯端末２００などに提供し、利用者が指定した構成員を検索する(Ｓ５１０)。
【００８３】
続いて、コンテンツ格納部１７０は、利用者の要請で、検索を通じて取得された構成員に関連した２次元または３次元映像、イメージ、音声、またはテキストを有する元コンテンツと共に、検索のためのキーワードを登録させ、族譜情報の添付形態で格納させる(Ｓ５１５)。
【００８４】
併せて、コンテンツ格納部１７０は、利用者の要請で、２次元または３次元映像、イメージ、音声、またはテキストを有する元コンテンツを合成して加工された合成コンテンツと共に、検索のためのキーワードを登録させ、族譜情報の添付形態で格納させ得る(Ｓ５２０)。
【００８５】
次に、共有部１７５は、利用者の要請に応じて、コンテンツの共有設定があれば、登録された構成員のコンテンツを族譜情報内の少なくとも一つの構成員と共有するように、ソーシャルネットワークサーバー４００などを介して、他の構成員にコンテンツ自体またはリンクデータを送信することができる(Ｓ５２５)。
【００８６】
本実施例によれば、単純に族譜情報のみを共有するだけでなく、様々な家族間の記憶、重要な事項などを共有することで、構成員間の紐帯が強化され得る。
【００８７】
以下、図６を参照して、族譜管理／コンテンツサーバー１００に内蔵されたアプリケーションを通じて族譜内の構成員の関連コンテンツの提供について説明することにする。図６は、本発明の他の実施例による族譜管理方法にて具現されるフローチャートである。
【００８８】
認証部１０５は、選択部１１０から選択されたコンテンツモジュール１５５の駆動で、利用者の族譜情報に対するアクセスを認証するために、本人のＩＤ、パスワードと共に、本人と族譜内の構成員のうち、少なくとも一つを入力されて族譜情報とマッチングして認証する(Ｓ６０５)。
【００８９】
続いて、コンテンツ探索部１６０は、利用者から検索しようとする構成員及びキーワードのうち、少なくとも一つを入力され、登録されたコンテンツを検索する(Ｓ６１０)。
【００９０】
コンテンツ探索部１６０は、族譜提供部１３５から伝送されたグラフィック化された全ての構成員の族譜情報に相応して、コンテンツ格納部１７０に格納されたコンテンツが携帯端末２００などで族譜情報と共に添付される形で表示することで、利用者は、コンテンツ探索部１６０から提供された族譜情報と関連コンテンツとが結合したリストを通じて視覚的に簡単に検索することができる。
【００９１】
次に、コンテンツ探索部１６０は、提示されたリストのうちで、利用者によって選択された特定の構成員のコンテンツを送信されて族譜／コンテンツ提示部１６５に伝達する(Ｓ６１５)。
【００９２】
続いて、族譜／コンテンツ提示部１６５は、選択されたコンテンツ、例えば、遺言などが該当構成員の法律行為と関連するかを判定する(Ｓ６２０)。
【００９３】
選択されたコンテンツが含まれた映像、テキスト、音声が該当構成員の法律行為と関連する場合に、認証部１０５は、利用者から公共家族情報の利用に対する同意を要請して同意すれば族譜／コンテンツ提示部１６５に提供する(Ｓ６２５)。
【００９４】
続いて、族譜／コンテンツ提示部１６５は、同意された公共家族情報に従って、利用者と該当構成員との間の所定姻戚関係認知と法律行為のコンテンツの公開条件、例えば、遺言の公開時点、弁護士の族譜管理／コンテンツサーバーに対するアクセスなどの条件を満たしているか否かを判断する(Ｓ６３０)。満たしていなければ、族譜／コンテンツ提示部１６５は、法律行為と関連するコンテンツを利用者の携帯端末２００などに提供することを遮断する。
【００９５】
判断結果、満たしている場合、族譜／コンテンツ提示部１６５は、法律行為のコンテンツに対して関連性を有する他の構成員と共有して、必ず(necessarily)共同で閲覧しなければならないか、すなわち、共同閲覧する必要があるかを判定する(Ｓ６３５)。判断結果を満たす必要がなければ、族譜／コンテンツ提示部１６５は、利用者本人にコンテンツ閲覧する権限を付与する。
【００９６】
判定結果、必ず共同で閲覧しなければならない場合、族譜／コンテンツ提示部１６５は、共有部１７５に、他の構成員の共有を要請して承認如何を確認する(Ｓ６４０)。
【００９７】
続いて、族譜／コンテンツ提示部１６５は、他の構成員の共有が承認されると、利用者と他の構成員に同時にコンテンツを提供して携帯端末２００などを通じて共同閲覧することができる権限を付与する。もし承認されなければ、族譜／コンテンツ提示部１６５は、法律行為と関連するコンテンツを利用者と共有しようとする他の構成員の携帯端末２００などに提供することを遮断する。
【００９８】
族譜／コンテンツ提示部１６５は、本人等に閲覧が許容されたコンテンツであるか、法律行為と関連のないコンテンツが３次元映像コンテンツであるか否かによって(Ｓ６４５)、利用者等が、３次元映像が再生される携帯端末２００などであるか、別途の３次元映像装置がある場合に(Ｓ６５０)、３次元映像を利用者に提供する(Ｓ６５５)。もちろん、コンテンツが３次元映像以外の他の形であれば、利用者の携帯端末２００などに直ちに提供され得る。
【００９９】
本実施例によれば、族譜構成員の個人化されたコンテンツを見る際に、本人以外の他の構成員の人的情報まで入力して族譜情報とのマッチングを通じて認証することで、コンテンツに対する保安性が向上させ得る。族譜管理／コンテンツサーバー１００は、家族に有用なコンテンツを全て収録することができ、遺言などのような法律行為と関連するコンテンツも格納することができる。この場合、厳格な公開条件で制限された構成員のみのコンテンツの閲覧を具現することにより、より一層保安性が増大し、家族構成員間の不必要な誤解を防ぐことができる。
【０１００】
図２に示された族譜管理／コンテンツサーバー１００を構成する構成要素または図３や図６に示された実施例による段階は、その機能を実現するプログラムの形でコンピュータ読み取り可能な記録媒体に記録され得る。ここで、コンピュータ読み取り可能な記録媒体とは、データやプログラムなどの情報を電気的、磁気的、光学的、機械的、または化学的作用を通じて蓄積し、コンピュータで読み取ることができる記録媒体のことをいう。このような記録媒体のうち、コンピュータから取り外し可能なものとしては、例えば、ポータブルストレージ(portable storage)、フレキシブルディスク、光磁気ディスク、ＣＤ-ＲＯＭ、ＣＤ-Ｒ／Ｗ、ＤＶＤ、ＤＡＴ、メモリーカードなどがある。また、モバイル装置及びコンピュータに固定された記録媒体としてＳＳＤ(Solid State Disk)、ハードディスクやＲＯＭなどがある。
【０１０１】
また、以上で、本発明の実施例を構成する全ての構成要素が一つに結合して動作するものと説明されたとして、本発明が必ずしもこのような実施例に限定されるわけではない。すなわち、本発明の目的の範囲内であれば、その全ての構成要素が一つ以上に選択的に結合して動作することもできる。さらに、その全ての構成要素が、各々一つの独立したハードウェアで具現され得るが、各構成要素の一部または全部が選択的に組み合わされて一つまたは複数個のハードウェアで組み合わされた一部または全ての機能を行うプログラムモジュールを有するコンピュータプログラムとして具現されることもできる。
【０１０２】
以上で、代表的な実施例を通じて本発明について詳細に説明したが、本発明が属する技術分野における通常の知識を有する者は、上述した実施例について本発明の範疇から外れない限度内で様々な変形が可能であることを理解するだろう。それ故に、本発明の権利範囲は、説明された実施例に限定されて定められてはならず、後述する特許請求の範囲だけでなく、この特許請求の範囲と均等概念から導出される全ての変更または変形された形によって定められなければならない。
【図１】
2020500387.tif 000003
【図２】
2020500387.tif 000004
【図３】
2020500387.tif 000005
【図４】
2020500387.tif 000006
【図５】
2020500387.tif 000007
【図６】
2020500387.tif 000008
【国際調査報告】
2020500387.tif 000009
2020500387.tif 000010
2020500387.tif 000011
2020500387.tif 000012